(57)【要約】      （修正有）【課題】低電力量で安定的かつ効率的に霧化状態をもって超音波振動を起こさせて、この超音波振動を肌に作用させて安全的に美肌を形成する。【解決手段】超音波プローブ１０の基体２０は、台形形状を有する。基体の第１表面に取り付けられる超音波振動素子１８を駆動させることによって、超音波振動素子を取り付けた厚さ約１０ｍｍから約１２ｍｍの酸化アルミナ製基体１６の鏡面に仕上げられた第２表面側に超音波振動を生じさせてなる。【選択図】図２
2007260366.tif 000002
【特許請求の範囲】
【請求項１】
モース硬度９、ビッカース硬度１５．７ＧＰａ、密度３．９を備え主成分をアルミナ純度９９．５％以上からなり、厚さ約１０ｍｍから約１２ｍｍの基板と、該基板表面にゲルマニウムをコーティングしたコーティング層と、該基板のコーティング層の対向表面に取付られた超音波振動素子とを備える超音波振動基体。
【請求項２】
請求項１記載の超音波振動基体を備える超音波プローブ。
【請求項３】
請求項２記載の超音波プローブを備える美容機器。
【請求項４】
請求項２記載の超音波プローブを備える健康機器。
【発明の詳細な説明】
【技術分野】
【技術分野】
【０００１】  本発明は、アルミナセラミック基体に超音波振動素子を取付けてなる超音波振動基体、該超音波振動基体を備える超音波プローブ及び該超音波プローブを使用した美容機器及び健康機器に関する。
【背景技術】
【０００２】  超音波振動を利用して美肌を作るための美容機器は既に販売されている。この美容機器は、ステンレスやアルミニウム等の金属製基体の裏側に取付られた超音波振動素子の駆動によって発生される超音波振動を基体の表面に起こさせて、該超音波振動を肌に伝えて美肌を作るためのものである。この際、金属製基体の表面に超音波振動を起こさせて、この超音波振動を肌に作用させることが美肌の形成にとって好ましい。しかし、金属を皮膚や肌に当てると、肌や皮膚が金属によってアレルギーを起こす人がいる。【０００３】  そこで、超音波振動素子を取付けた基体を金属材料から絶縁材料に替えてなる超音波振動基体を使用した超音波プローブが知られている。しかし、美肌を作るためには上述したように超音波振動基体の表面に超音波振動を生じさせることが好ましいが、これまで、絶縁材料からなる超音波振動基体に超音波振動が得られたとの公知事実はない。従って、絶縁材料からなる超音波振動基体動は、美肌の形成にとって有効な効果の得られる実用化の段階まで至っていないのが現状である。
【発明の開示】
【発明が解決しようとする課題】
【０００４】  本発明は、上記の欠点を解決することを鑑みてなされたものであり、その目的は、アルミナに超音波振動を取り付けて超音波振動基体表面に起こさせて、この超音波振動を肌に作用させて美肌を形成するための超音波振動基体、該超音波振動基体を備える超音波プローブ及び該超音波プローブを使用した美容機器及び健康機器を提供することにある。
【課題を解決するための手段】
【０００５】請求項１に係る超音波振動基体は、モース硬度９、ビッカース硬度１５．７ＧＰａ、密度３．９を備え主成分をアルミナ純度９９．５％以上からなり、厚さ約１０ｍｍから約１２ｍｍの基板と、該基板表面にゲルマニウムをコーティングしたコーティング層と、該基板のコーティング層の対向表面に取付られた超音波振動素子とを備える。【０００６】請求項２に係る超音波プローブは、請求項１記載の超音波振動基体を備える。【０００７】請求項３に係る美容機器は、請求項２記載の超音波プローブを備える。【０００８】請求項４に係る健康機器は、請求項２記載の超音波プローブを備える。
【発明の効果】
【０００９】  本発明によるアルミナからなる超音波振動基体によれば、低電力量で安定的かつ効率的に超音波振動を起こさせることができる。さらに、該超音波振動基体を取り付けた超音波プローブを美容に使用すれば、低電力量で霧化状態をもって超音波振動を肌に作用させて美肌を形成すること、しかも肌に金属アレルギーを生じさせない安全性に優れる。さらにまた、アルミナとゲルマニウムから出される超音波と遠赤外線とのダブルトリートメント効果により、通常のスキンケアでは得られない肌の深部、皮膚細胞に働きかけてフェイスラインやネックラインをキュッと引き締め、肌に弾力性とハリを回復させ、うるおいのある肌に整える。また、健康器具に使用すれば、超音波振動を疲労している、又は肩こり等の個所に与えることにより疲労回復、肩こりを和らげることができる。
【発明を実施するための最良の形態】
【００１０】  本発明の一実施例を添付図面を参照して説明をする。図１は、超音波プローブの概略図である。該図において、符号１０は、超音波プローブであり、該超音波プローブ１０は、先端部に開口１２を有し、プラスチック等で作られているホルダー１４と、該ホルダーの開口１２に取り付けられた純度９９。５％以上のアルミナからなる基板１６と該基板１６に固着されている超音波振動素子１８とからなる基体２０と、超音波振動素子１８に繋がれている電源コードとを備えて構成される。【００１１】  ここで、上述した超音波プローブ１０の構成において、超音波振動素子が取り付けられる基板１６の第１及び第２表面は、鏡面仕上げに仕上げられる必要がある。そして、該表面にエポキシ樹脂等の接着剤を塗布して超音波振動素子と絶縁材料製基体の第１表面とは、熱圧着等により固着される。この際、これら接合面間は、空気や水分等のガスは入らないようにして固着することが好ましい。ここで、接着は、硬化温度；約１１０℃〜約１３０℃、好ましくは約１２０℃で行われ、その後除冷される。【００１２】  基板１６は、モース硬度９、ビッカース硬度１５．７ＧＰａ、密度３．９を備え主成分をアルミナ純度９９．５％以上からなり、厚さ約１０ｍｍから約１２ｍｍなる。アルミナ基板表面にゲルマニウムをコーティングしたコーティング層を有する。【００１３】  さらに、基板の厚さは、約１０ｍｍ〜約１２ｍｍである。すなわち、基板の厚さが、約１０ｍｍ以下、約１２ｍｍ以上であると、上記第２表面に霧化現象を生じない。そして、特に基板の厚さが約１０ｍｍ〜約１２ｍｍ、好ましくは約１１ｍｍで最も霧化現象が活発に生じ、かつ減衰の度合も少ない。しかも加工に適し、経済性に富みかつ落としたとしても割れにくい等の効果もある。【００１４】  かくして、上述した絶縁材料からなる基板に超音波振動を与えて、該基板の超音波振動素子を取り付けた第１表面の反対側である第２表面に超音波振動を起こさせる要因は、該基板の第１及び２表面を鏡面仕上に加工して、前記基板が所定の値に設定された、該基板の厚さ寸法、該基板の硬度並びに密度等を少なくとも１つを備え、かつ該基板の第１表面と超音波振動素子との接着の硬化温度は、１１０℃〜約１３０℃、好ましくは約１２０℃であり、その後除冷される。該表面に超音波振動が起きている事実は、該表面に霧化現象が生じていることにより確かめられる。ここで、霧化とは、基板に超音波振動の表面に載せた水滴が水煙となって飛散する現象を言う。【００１５】  図２は、アルミナ（西村陶業株式会社製、Ｎ−９９）を以下の形状及び寸法に加工して作られる基板１６に超音波振動素子１８を取付けた基体２０の側面図を示す。該図において、基体２０は、台形形状を有する。ここで、第１表面（ａ）の直径は、３７．５ｍｍ、第２表面（ｂ）の直径は、２８．０ｍｍ、高さ（厚さ）（ｈ）は、２０．５ｍｍ、斜面の傾きの角度（α）は、４５度である。また、基板の第１表面に取付られる超音波振動素子は、円形形状を有し、その直径は、２８．０ｍｍである。該基体の第１及び２表面は、鏡面に仕上げ（粗さ０．８ｓ）に加工されている。そして、基板の第１表面と超音波振動素子と接着は、硬化温度；約１２０℃で���われ、その後除冷される。なお、基体の形状は、該図２に示す構造を有することが好ましい。【００１６】  図３は、基体２０の他形状の側面図を示す。該図において、基体２０は、基板１６に凹所を設け、該凹所内に超音波振動素子１８を取り付けてなる。基板の寸法は、図２と同じである。【００１７】  かくして、超音波振動素子を２ワットで駆動させることにより、超音波振動素子に取り付けられた水晶基体の第２表面に超音波振動を起こすことができる。そして、超音波振動素子を駆動して水晶基板の第２表面に超音波振動を起こさせ、該超音波振動を肌に与えることにより美肌を作る美容器具として、さらに、該超音波振動を疲労している、又は肩こり等の個所に与えることにより疲労回復、肩こりを和らげる等の健康器具として使われることができる。【００１８】  図４は、美容機器の概略図を示し、該図において、符号２２は、美容機器本体である。美容機器本体２２は基部２４と、基部２４を覆う上蓋２６とを備え、両者は開閉可能に構成している。美容機器本体２２の基部２４は、上記超音波プローブ１０を収納する凹部２８と、該超音波プローブ１０の超音波振動素子１６を駆動・制御して超音波振動を発生させるための超音波振動駆動・制御回路（図示せず）と、コード２０を収納する収納凹部３０と、電源入り切ボタン３２、レベル調整ダイヤル３４とを備える。上蓋２６は、鏡３６を取り付けている。なお、健康器具の収納ケースの構成は、上記美容器具の収納ケースの構成とほぼ同じであるので説明を省略する。なお、該図において、前記収納凹部２８は、上記超音波プローブ１０の他にイオン導入器３８、クリーンビームユニット４０を収納している。
【産業上の利用可能性】
【００１９】  美容機器及び健康機器
【図面の簡単な説明】
【００２０】
【図１】図１は、本発明に係る超音波プローブを示す概略図である。
【図２】図２は、本発明に係る超音波振動素子を絶縁材料製基板に取り付けた基体を示す側面図である。
【図３】図３は、本発明に係る超音波振動素子を絶縁材料製基体に取り付けた基体を示す側面図である。
【図４】図４は、本発明に係る美容機器を示す概略図である。
【符号の説明】
【００２１】１０；超音波プローブ、
１６；アルミナ製基体
１８；超音波振動素子
【図１】
2007260366.tif 000003
【図２】
2007260366.tif 000004
【図３】
2007260366.tif 000005
【図４】
2007260366.tif 000006